(57)【要約】【課題】カード認証により許可された人にのみエレベータを利用させてセキュリティを確保すると共に、利用者のエレベータ呼びの操作を簡潔にして利用者にとってエレベータ乗場の操作盤を使用しやすいものにすることを目的とする。【解決手段】エレベータ乗場操作盤１００はカード認証用のカードリーダ１１０を備え、カードリーダ１１０の上下に物体検知センサであるＵＰ用センサ１２０とＤＯＷＮ用センサ１３０とを備える。ＵＰ用センサ１２０の物体検知はエレベータのＵＰ呼びの指定となり、ＤＯＷＮ用センサ１３０の物体検知はエレベータのＤＯＷＮ呼びの指定となる。利用者は、まず、カード２００をカードリーダ１１０にかざしてカード認証を受ける。カード２００が認証されＯＫ表示ＬＥＤ１１１が点灯後、カード２００を上または下に動かしてＵＰ用センサ１２０またはＤＯＷＮ用センサ１３０を反応させ、ＵＰ呼びまたはＤＯＷＮ呼びを発生させる。【選択図】図１
2009113971.tif 000002
【特許請求の範囲】
【請求項１】
エレベータ乗場に設置されるエレベータ乗場操作盤において、
カードリーダと、
前記カードリーダの上方に配置され、前記カードリーダの上方に位置する物体を検知するＵＰ用センサであり、物体の検知をエレベータのＵＰ呼びの指定として検知するＵＰ用センサと、
前記カードリーダの下方に配置され、前記カードリーダの下方に位置する物体を検知するＤＯＷＮ用センサであり、物体の検知をエレベータのＤＯＷＮ呼びの指定として検知するＤＯＷＮ用センサと
を備えたことを特徴とするエレベータ乗場操作盤。
【請求項２】
前記ＵＰ用センサと前記ＤＯＷＮ用センサとは、物体を検知することが可能な最大水平距離を示す物体検知距離が、前記カードリーダがカードを検知することが可能な最大水平距離を示すカード検知距離と略同一であるか、または、前記カード検知距離以上である
ことを特徴とする請求項１記載のエレベータ乗場操作盤。
【請求項３】
前記エレベータ乗場操作盤は、
上方向を指し示すＵＰ受付表示を前記カードリーダの上方に有し、
下方向を指し示すＤＯＷＮ受付表示を前記カードリーダの下方に有する
ことを特徴とする請求項１〜請求項２いずれかに記載のエレベータ乗場操作盤。
【請求項４】
エレベータ乗場に設置されるエレベータ乗場操作盤において、
カードを検知すると共に検知した前記カードに記録されているカード情報を読み取る２つのカードリーダであり、上下に配置された２つのカードリーダを備え、
上方に配置されたカードリーダが、カードの検知をエレベータのＵＰ呼びの指定として検知するＵＰ用センサとして稼働し、
下方に配置されたカードリーダが、カードの検知をエレベータのＤＯＷＮ呼びの指定として検知するＤＯＷＮ用センサとして稼働する
ことを特徴とするエレベータ乗場操作盤。
【請求項５】
前記エレベータ乗場操作盤は、さらに、
前記カードリーダによりカードから読み取られたカード情報に基づいて行われる認証処理において前記カード情報が認証された後に、前記ＵＰ呼びと前記ＤＯＷＮ呼びとのうち検知された方の呼びを実行すると共に、前記認証処理で前記カード情報が認証された後において所定の時間内に前記ＵＰ呼びと前記ＤＯＷＮ呼びとの両方の呼びが検知された場合、前記ＵＰ呼びと前記ＤＯＷＮ呼びとの両方の呼びをキャンセルするエレベータ呼び部
を備えたことを特徴とする請求項１〜請求項４いずれかに記載のエレベータ乗場操作盤。
【請求項６】
前記エレベータ乗場操作盤は、さらに、
前記カードリーダによりカードから読み取られたカード情報に基づいて行われる認証処理において前記カード情報が認証された後に、前記ＵＰ呼びと前記ＤＯＷＮ呼びとのうち検知された方の呼びを実行すると共に、前記認証処理で前記カード情報が認証された後において所定の時間内に前記ＵＰ呼びと前記ＤＯＷＮ呼びとの両方の呼びが検知された場合、前記ＵＰ呼びと前記ＤＯＷＮ呼びとのうち先に検知された方の呼びをキャンセルするエレベータ呼び部
を備えたことを特徴とする請求項１〜請求項４いずれかに記載のエレベータ乗場操作盤。
【請求項７】
前記エレベータ呼び部は、
前記認証処理中に検知された呼びを記憶しておき、前記認証処理で前記カード情報が認証された後に、前記認証処理中に記憶した呼びを実行する
ことを特徴とする請求項５〜請求項６いずれかに記載のエレベータ乗場操作盤。
【請求項８】
前記エレベータ呼び部は、
前記認証処理中において所定の時間内に前記ＵＰ呼びと前記ＤＯＷＮ呼びとの両方の呼びが検知された場合、前記ＵＰ呼びと前記ＤＯＷＮ呼びとの両方の呼びをキャンセルする
ことを特徴とする請求項７記載のエレベータ乗場操作盤。
【請求項９】
前記エレベータ呼び部は、
前記認証処理中において所定の時間内に前記ＵＰ呼びと前記ＤＯＷＮ呼びとの両方の呼びが検知された場合、前記ＵＰ呼びと前記ＤＯＷＮ呼びとのうち先に検知された方の呼びをキャンセルする
ことを特徴とする請求項７記載のエレベータ乗場操作盤。
【発明の詳細な説明】
【技術分野】
【０００１】
本発明は、カードリーダを内蔵したエレベータ乗場操作盤に関するものである。
【背景技術】
【０００２】
従来、エレベータ乗場のＵＰボタンとＤＯＷＮボタンとの操作の組み合わせでエレベータ呼び機能を切り換えるものがあった（特許文献１）。
【特許文献１】特開２００６−１５１６３０号公報
【発明の開示】
【発明が解決しようとする課題】
【０００３】
従来技術では、エレベータ乗場にカードリーダを設置しており、カードを所持した人でないとエレベータ乗場の呼びを発生できないが、カードの操作だけでＵＰ方向の呼びかＤＯＷＮ方向の呼びかを特定できない。このため、利用者は、エレベータ呼びの方向を指定するため、カード操作後にＵＰボタンまたはＤＯＷＮボタンを押す必要がある。
つまり、非接触式のカードリーダを用いた場合、利用者は、せっかく非接触でカード操作をしても、その後にエレベータ呼びを指定するボタンを押下するという接触動作を行う必要がある。このため、エレベータ呼びの操作が非接触（ノンタッチ）で完結せず、利用者にとって使用しやすいものではない。
【０００４】
本発明は、例えば、カード認証により許可された人にのみエレベータを利用させてセキュリティを確保すると共に、利用者のエレベータ呼びの操作を簡潔にして利用者にとってエレベータ乗場の操作盤を使用しやすいものにすることを目的とする。
【課題を解決するための手段】
【０００５】
本発明のエレベータ乗場操作盤は、カードリーダと、前記カードリーダの上方に配置され、前記カードリーダの上方に位置する物体を検知するＵＰ用センサであり、物体の検知をエレベータのＵＰ呼びの指定として検知するＵＰ用センサと、前記カードリーダの下方に配置され、前記カードリーダの下方に位置する物体を検知するＤＯＷＮ用センサであり、物体の検知をエレベータのＤＯＷＮ呼びの指定として検知するＤＯＷＮ用センサとを備えたことを特徴とする。
【発明の効果】
【０００６】
本発明によれば、カードリーダを備えることによりカード認証を行うことができ、さらに、ボタンではなく物体検知センサ（ＵＰ用センサ、ＤＯＷＮ用センサ）を用いることにより、エレベータ呼びの操作を非接触で完結させることができる。つまり、利用者にとってエレベータ乗場の操作盤が使用しやすいものになる。
【発明を実施するための最良の形態】
【０００７】
実施の形態１．
図１は、実施の形態１におけるエレベータ乗場操作盤１００の外観図である。
実施の形態１におけるエレベータ乗場操作盤１００の構成について、図１に基づいて以下に説明する。
【０００８】
エレベータ乗場操作盤１００はエレベータ乗場においてエレベータドアの脇に設置される。
エレベータ乗場操作盤１００は、カードリーダ１１０、ＵＰ用センサ１２０、ＤＯＷＮ用センサ１３０、ＵＰボタン１２１およびＤＯＷＮボタン１３１を備える。
【０００９】
カードリーダ１１０は、近接されたカード２００に記録されている情報（カード情報）を読み取る非接触式のリーダである。カードリーダ１１０は、メモリ（記憶機器）にカード情報が記録されているＩＣ（Ｉｎｔｅｇｒａｔｅｄ  Ｃｉｒｃｕｉｔ）カードやＱＲ（Ｑｕｉｃｋ  Ｒｅｓｐｏｎｓｅ）コードまたはバーコードなどの二次元コードでカード情報が記録されているカード２００などがかざされたときに、そのカード２００からカード情報を読み取る。以下、カードリーダ１１０がカードからカード情報を読み取ることが可能な範囲をカード検知範囲という。例えば、カード検知範囲とは、エレベータ乗場操作盤１００がＩＣカードと無線通信することが可能な範囲や、二次元コードを認識可能な範囲である。
また、カードリーダ１１０はＯＫ表示ＬＥＤ１１１とＮＧ表示ＬＥＤ１１２とを備え、読み取ったカード情報が後述する認証装置３００で認証された場合にＯＫ表示ＬＥＤ１１１を点灯させて、エレベータの利用が許可されたことをカード２００をかざした利用者に通知する。また、カードリーダ１１０は、読み取ったカード情報が後述する認証装置３００で認証されなかった場合にＮＧ表示ＬＥＤ１１２を点灯させて、エレベータの利用が許可されなかったことをカード２００をかざした利用者に通知する。
【００１０】
ＵＰ用センサ１２０はカードリーダ１１０の上方に配置された物体検知センサである。ＵＰ用センサ１２０は、電波や赤外線などを用いて、前方に、つまり、カードリーダ１１０の上方に物体が存在するか否かを検知する。また、ＵＰ用センサ１２０は物体の検知をエレベータのＵＰ呼びの指定として検知し、ＵＰ用センサ１２０が物体を検知した際にエレベータのＵＰ呼びが発生する。
エレベータのＵＰ呼びとは、利用者により操作されたエレベータ乗場操作盤１００が設置されているエレベータ乗場にエレベータかご５００を到着させると共に、到着させたエレベータかご５００を上の階に移動（上方向に移動、上昇）させることである。
【００１１】
ＤＯＷＮ用センサ１３０はカードリーダ１１０の下方に配置された物体検知センサである。カードリーダ１１０は、電波や赤外線などを用いて、前方に、つまり、カードリーダ１１０の下方に物体が存在するか否かを検知する。また、ＤＯＷＮ用センサ１３０は物体の検知をエレベータのＤＯＷＮ呼びの指定として検知し、ＤＯＷＮ用センサ１３０が物体を検知した際にエレベータのＤＯＷＮ呼びが発生する。
エレベータのＤＯＷＮ呼びとは、利用者により操作されたエレベータ乗場操作盤１００が設置されているエレベータ乗場にエレベータかご５００を到着させると共に、到着させたエレベータかご５００を下の階に移動（下方向に移動、下降）させることである。
【００１２】
以下、ＵＰ用センサ１２０が物体を検知することが可能な範囲およびＤＯＷＮ用センサ１３０が物体を検知することが可能な範囲をそれぞれ物体検知範囲という。
【００１３】
ＵＰボタン１２１は、カードリーダ１１０の上方に配置されたボタンであり、ボタンの押下をエレベータのＵＰ呼びの指定として検出する。ＵＰボタン１２１には上向きの矢印（ＵＰ受付表示）が表示されている。
ＤＯＷＮボタン１３１は、カードリーダ１１０の下方に配置されたボタンであり、ボタンの押下をエレベータのＤＯＷＮ呼びの指定として検出する。ＤＯＷＮボタン１３１には下向きの矢印（ＤＯＷＮ受付表示）が表示されている。
【００１４】
図２は、実施の形態１におけるエレベータ乗場操作盤１００の操作方法を示す図であり、実施の形態１におけるエレベータ乗場操作盤１００を図１における右側方から示している。
実施の形態１におけるエレベータ乗場操作盤１００に対する利用者の操作方法について、図２に基づいて以下に説明する。
【００１５】
まず、利用者は、カード認証を受けるために、予めエレベータ操作用に発行されたカード２００をエレベータ乗場操作盤１００のカードリーダ１１０の正面にかざすカード操作を行う。
そして、利用者はＵＰ呼びを指定したいときはカード２００をそのまま上方向にスライドさせてＵＰ用センサ１２０にカード２００を検知させる。
また、利用者はＤＯＷＮ呼びを指定したいときはカード２００をそのまま下方向にスライドさせてＤＯＷＮ用センサ１３０にカード２００を検知させる。
これにより、利用者は、カード操作と連続した非接触の動作により、エレベータのＵＰ呼びおよびエレベータのＤＯＷＮ呼びを指定することができる。つまり、利用者は、非接触でカード操作を行った後にＵＰボタン１２１またはＤＯＷＮボタン１３１を押下するよりも簡易な動作で、エレベータの呼びを指定することができる。
【００１６】
また、エレベータ乗場操作盤１００がＵＰボタン１２１とＤＯＷＮボタン１３１とを備えることにより、ＵＰ用センサ１２０やＤＯＷＮ用センサ１３０に物体を検知させてエレベータの呼びを指定するという操作方法を知らない利用者に対して、ＵＰ用センサ１２０やＤＯＷＮ用センサ１３０を用いてエレベータの呼びを指定することを促すことができる。例えば、カードリーダ１１０にカード２００をかざした利用者が、ＵＰボタン１２１を押そうとして手を上方に移動させた際に、利用者の手がＵＰ用センサ１２０の前方を遮るため、ＵＰ用センサ１２０が利用者の手を検知し、ＵＰ呼びが発生する。
ＵＰボタン１２１やＤＯＷＮボタン１３１は、エレベータの呼びを発生させるボタンではなく、単に向きを示す表示（矢印、「上」「下」などの文字など）であっても構わない。
また、ＵＰボタン１２１やＤＯＷＮボタン１３１の位置は、ＵＰ用センサ１２０の上方またはＤＯＷＮ用センサ１３０の下方でなくても構わない。例えば、ＵＰ用センサ１２０とＵＰボタン１２１、ＤＯＷＮ用センサ１３０とＤＯＷＮボタン１３１が重なっていても構わないし、ＵＰボタン１２１とＤＯＷＮボタン１３１とがそれぞれＵＰ用センサ１２０とＤＯＷＮ用センサ１３０の左右にあっても構わないし、ＵＰボタン１２１がＵＰ用センサ１２０の下方にありＤＯＷＮボタン１３１がＤＯＷＮ用センサ１３０の上方にあっても構わない。
【００１７】
図３は、実施の形態１におけるエレベータ乗場操作盤１００のカード検知範囲と物体検知範囲との関係を示す図であり、実施の形態１におけるエレベータ乗場操作盤１００を図１における右側方から示している。
実施の形態１におけるカードリーダ１１０のカード検知範囲１１３、ＵＰ用センサ１２０の物体検知範囲１２３およびＤＯＷＮ用センサ１３０の物体検知範囲１３３の関係について、図３に基づいて以下に説明する。
【００１８】
ＵＰ用センサ１２０の物体検知範囲１２３およびＤＯＷＮ用センサ１３０の物体検知範囲１３３は、水平方向の最大距離が、カードリーダ１１０のカード検知範囲１１３とほぼ同じであるか、カードリーダ１１０のカード検知範囲１１３以上である。
これにより、利用者は、カードリーダ１１０の正面にかざしたカード２００をＵＰ用センサ１２０やＤＯＷＮ用センサ１３０に近づけなくとも、カード２００をかざした位置から上下に動かすだけで、カード２００を検知させてエレベータの呼びを指定することができる。
【００１９】
図４は、実施の形態１におけるエレベータ制御システム９００の構成図である。
実施の形態１におけるエレベータ制御システム９００のハードウェア構成およびエレベータ乗場操作盤１００の機能構成について、図４に基づいて以下に説明する。
【００２０】
エレベータ制御システム９００はハードウェアとしてエレベータ乗場操作盤１００、認証装置３００、エレベータ制御装置４００およびエレベータかご５００を備える。
エレベータ乗場操作盤１００、認証装置３００およびエレベータ制御装置４００は、ＣＰＵ（Ｃｅｎｔｒａｌ  Ｐｒｏｃｅｓｓｉｎｇ  Ｕｎｉｔ）（図示省略）、メモリ（記憶機器）（図示省略）、通信ボード（通信機器）（図示省略）などを備えて、以下に説明する機能を実行する。
また、エレベータ乗場操作盤１００は、ハードウェアとしてカードリーダ１１０、ＵＰ用センサ１２０、ＵＰボタン１２１、ＤＯＷＮ用センサ１３０およびＤＯＷＮボタン１３１を備える。
さらに、エレベータ乗場操作盤１００は以下に説明する機能をＣＰＵ、メモリおよび通信ボードを用いて実行するカード読み取り部１０１とエレベータ呼び部１０２とを備える。同様に、認証装置３００は認証処理部３０１、エレベータ制御装置４００はエレベータ制御部４０１を備える。
【００２１】
エレベータ乗場操作盤１００のカード読み取り部１０１はカードリーダ１１０がカード２００から読み取ったカード情報を入力し、入力したカード情報を認証装置３００に送信し、送信したカード情報に対する認証結果を認証装置３００から受信する。
【００２２】
エレベータ乗場操作盤１００のエレベータ呼び部１０２はＵＰ用センサ１２０、ＵＰボタン１２１、ＤＯＷＮ用センサ１３０およびＤＯＷＮボタン１３１が検知したエレベータの呼びの指定を示す情報（以下、呼び情報とする）を入力すると共にカード読み取り部１０１からカード情報に対する認証結果を入力し、認証結果が「ＯＫ（認証：エレベータの使用許可）」である場合に呼び情報をエレベータ制御装置４００に送信するエレベータ呼び制御処理を行う。
【００２３】
認証装置３００の認証処理部３０１はエレベータ乗場操作盤１００のカード読み取り部１０１からカード情報を受信し、受信したカード情報に対してエレベータの使用を許可するか否かを判定する認証処理を行い、認証処理の結果（認証結果）をエレベータ乗場操作盤１００のカード読み取り部１０１に返信する。認証装置３００のメモリにはエレベータの使用を許可するカード情報（以下、登録情報とする）が予め登録されており、認証処理部３０１は受信したカード情報を登録情報と比較し、カード情報が登録情報と一致する場合に認証結果を「ＯＫ（認証：エレベータの使用許可）」とし、カード情報が登録情報と一致しない場合に認証結果を「ＮＧ（認証不可：エレベータの使用不可）」とする。
【００２４】
エレベータ制御装置４００のエレベータ制御部４０１はエレベータ乗場操作盤１００のエレベータ呼び部１０２から呼び情報を受信し、受信した呼び情報に従ってエレベータかご５００を昇降させるエレベータ制御処理を行う。
【００２５】
認証処理、エレベータ呼び制御処理およびエレベータ制御処理はＣＰＵを用いて実行される。また、カード情報、認証結果および呼び情報は通信ボードを用いて送受信される。また、カード情報、登録情報、認証結果および呼び情報はメモリに記憶される。
以下の説明において、「呼びの発生（または、呼びの登録）」とは、例えば、エレベータ制御処理のためにエレベータ制御装置４００のメモリに呼び情報が記憶されることである。
【００２６】
エレベータ乗場操作盤１００、認証装置３００およびエレベータ制御装置４００は複数の筐体で実装されても、一つの筐体で実装されても構わない。例えば、エレベータ乗場操作盤１００に認証装置３００の機能を備えて、エレベータ乗場操作盤１００と認証装置３００とを一体にしても構わない。
【００２７】
図５は、実施の形態１におけるエレベータ乗場操作盤１００のエレベータ呼び制御処理を示すフローチャートである。
実施の形態１におけるエレベータ乗場操作盤１００のエレベータ呼び制御処理の流れについて、図５に基づいて以下に説明する。
図５の説明において、「ＵＰ用センサ１２０」とはＵＰ用センサ１２０とＵＰボタン１２１とを示し、「ＤＯＷＮ用センサ１３０」とはＤＯＷＮ用センサ１３０とＤＯＷＮボタン１３１とを示すものとする。
【００２８】
＜Ｓ１１０＞
まず、カード読み取り部１０１はカードリーダ１１０がカード２００を検知し、カード情報を読み取ったか否かを、カードリーダ１１０からカード情報を入力したか否かにより判定する。カード読み取り部１０１はカード情報が読み取られるまで処理を繰り返す。
カード情報を読み取った、つまり、カードリーダ１１０からカード情報を入力した場合、カード読み取り部１０１はカード情報を認証装置３００に送信する。
そして、カード読み取り部１０１は送信したカード情報に対する認証結果が認証装置３００から送信されるのを待つ。
【００２９】
＜Ｓ１２０＞
Ｓ１１０においてカード読み取り部１０１がカード情報を読み取り、認証装置３００から認証結果を受信した場合、エレベータ呼び部１０２は認証結果を入力し、認証結果が「ＯＫ」を示すか「ＮＧ」を示すかを判定する。
エレベータ呼び部１０２が認証結果が「ＮＧ」を示すと判定した場合、エレベータ乗場操作盤１００は、Ｓ１１０に処理を戻し、カードリーダ１１０による次のカード検知を待つ。
【００３０】
＜Ｓ１３０＞
Ｓ１２０において認証結果が「ＯＫ」を示すと判定した場合、エレベータ呼び部１０２はタイマ（変数）に「０」を設定して、タイマを初期化する。
【００３１】
＜Ｓ１４０：エレベータ呼び判定処理＞
次に、エレベータ呼び部１０２は、タイマが所定の時間の経過を示すまでの間、ＵＰ用センサ１２０またはＤＯＷＮ用センサ１３０が呼びを検知するのを待ち、検知した呼びを発生させる（Ｓ１４１〜Ｓ１４３）。
【００３２】
＜Ｓ１４１＞
エレベータ呼び部１０２は、ＵＰ呼びを検知したか、ＤＯＷＮ呼びを検知したか又はＵＰ呼びとＤＯＷＮ呼びとの両方とも検知していないかを、ＵＰ用センサ１２０からＵＰ呼び情報を入力したか、ＤＯＷＮ用センサ１３０からＤＯＷＮ呼び情報を入力したか又はＵＰ用センサ１２０とＤＯＷＮ用センサ１３０とのどちらからも呼び情報を入力していないかにより判定する。
＜Ｓ１４２＞
Ｓ１４１においてＵＰ呼びを検知したと判定した場合、エレベータ呼び部１０２はＵＰ呼び情報をエレベータ制御装置４００に送信してＵＰ呼びを発生させる。
ＵＰ呼びを発生させた後、エレベータ乗場操作盤１００は、Ｓ１１０に処理を戻し、カードリーダ１１０による次のカード検知を待つ。
＜Ｓ１４３＞
Ｓ１４１においてＤＯＷＮ呼びを検知したと判定した場合、エレベータ呼び部１０２はＤＯＷＮ呼び情報をエレベータ制御装置４００に送信してＤＯＷＮ呼びを発生させる。
ＤＯＷＮ呼びを発生させた後、エレベータ乗場操作盤１００は、Ｓ１１０に処理を戻し、カードリーダ１１０による次のカード検知を待つ。
【００３３】
＜Ｓ１５１＞
Ｓ１４１においてＵＰ呼びとＤＯＷＮ呼びとの両方とも検知していないと判定した場合、エレベータ呼び部１０２はタイマをインクリメントする。
【００３４】
＜Ｓ１５２＞
次に、エレベータ呼び部１０２はタイマを所定値ｎと比較する。
タイマが所定値ｎ未満である場合、エレベータ呼び部１０２は、所定の時間が経過していないと判定して、Ｓ１４０に処理を戻す。
また、タイマが所定値ｎ以上であり、エレベータ呼び部１０２が所定の時間が経過したと判定した場合、エレベータ乗場操作盤１００は、Ｓ１１０に処理を戻し、カードリーダ１１０による次のカード検知を待つ。
【００３５】
実施の形態１では、以下のようなエレベータ乗場操作盤１００について説明した。
エレベータ乗場操作盤１００は、カードリーダ１１０の上部および下部に非接触式の物体センサ（ＵＰ用センサ１２０、ＤＯＷＮ用センサ１３０）を配置し、利用者がカード２００を操作したあと、上または下の物体センサを反応させることでＵＰまたはＤＯＷＮ呼びを発生させる。
つまり、エレベータ乗場操作盤１００は、カード操作のＯＫ後、利用者が上に手を移動させるとＵＰ呼びを有効にし、カード操作のＯＫ後、利用者が下に手を移動させるとＤＯＷＮ呼びを有効にする。
これにより、利用者はカード２００を操作した手をそのまま上または下に移動するだけで、ＵＰ／ＤＯＷＮ呼びを発生させることができ、エレベータ乗場操作盤１００を直感的に操作することとができる。これにより、利用者の利便性が向上する。
【００３６】
実施の形態２．
実施の形態２では、エレベータの呼びをキャンセルすることができるエレベータ乗場操作盤１００について説明する。
以下、実施の形態１と異なる事項について主に説明し、説明しない事項については実施の形態１と同様であるものとする。
【００３７】
図６は、実施の形態２におけるエレベータ乗場操作盤１００のエレベータ呼び制御処理を示すフローチャートである。
実施の形態２におけるエレベータ乗場操作盤１００のエレベータ呼び制御処理の流れについて、図６に基づいて以下に説明する。
【００３８】
Ｓ２１０〜Ｓ２３０はそれぞれ、実施の形態１のＳ１１０〜Ｓ１３０と同じである。
Ｓ２５１〜Ｓ２５２はそれぞれ、実施の形態１のＳ１５１〜Ｓ１５２と同じである。
実施の形態１と異なるエレベータ呼び判定処理（Ｓ２４０）の詳細について説明する。
【００３９】
＜Ｓ２４０：エレベータ呼び判定処理＞
エレベータ呼び部１０２は、タイマが所定の時間の経過を示すまでの間、ＵＰ用センサ１２０およびＤＯＷＮ用センサ１３０の呼びの検知を待ち、検知した呼びを発生またはキャンセルさせる（Ｓ２４１〜Ｓ２４６）。
【００４０】
＜Ｓ２４１＞
まず、エレベータ呼び部１０２はＵＰ呼びのみが検知されたか否かを判定する。
ＵＰ用センサ１２０からＵＰ呼び情報を入力した際、エレベータ呼び部１０２は、既にＤＯＷＮ呼びを発生させている場合（Ｓ２４４）にはＵＰ呼びのみが検知されていないと判定し、ＤＯＷＮ呼びを発生させていない場合にはＵＰ呼びのみが検知されたと判定する。
＜Ｓ２４２＞
Ｓ２４１においてＵＰ呼びのみが検知されたと判定した場合、エレベータ呼び部１０２はＵＰ呼びを発生させる。また、エレベータ呼び部１０２はＵＰ呼びを発生させたことをメモリに記憶し、記憶した情報をＤＯＷＮ呼びのみが検知されたか否かの判定（Ｓ２４３）およびＵＰ呼びとＤＯＷＮ呼びとの両方が検知されたか否かの判定（Ｓ２４５）に用いる。
【００４１】
＜Ｓ２４３＞
次に、エレベータ呼び部１０２はＤＯＷＮ呼びのみが検知されたか否かを判定する。
ＤＯＷＮ用センサ１３０からＤＯＷＮ呼び情報を入力した際、エレベータ呼び部１０２は、既にＵＰ呼びを発生させている場合（Ｓ２４２）にはＤＯＷＮ呼びのみが検知されていないと判定し、ＵＰ呼びを発生させていない場合にはＤＯＷＮ呼びのみが検知されたと判定する。
＜Ｓ２４４＞
Ｓ２４３においてＤＯＷＮ呼びのみが検知されたと判定した場合、エレベータ呼び部１０２はＤＯＷＮ呼びを発生させる。また、エレベータ呼び部１０２はＤＯＷＮ呼びを発生させたことをメモリに記憶し、記憶した情報をＵＰ呼びのみが検知されたか否かの判定（Ｓ２４１）およびＵＰ呼びとＤＯＷＮ呼びとの両方が検知されたか否かの判定（Ｓ２４５）に用いる。
【００４２】
＜Ｓ２４５＞
次に、エレベータ呼び部１０２はＵＰ呼びとＤＯＷＮ呼びとの両方が検知されたか否かを判定する。
エレベータ呼び部１０２は、ＵＰ用センサ１２０からＵＰ呼び情報を入力した際に既にＤＯＷＮ呼びを発生させている場合（Ｓ２４４）、または、ＤＯＷＮ用センサ１３０からＤＯＷＮ呼び情報を入力した際に既にＵＰ呼びを発生させている場合（Ｓ２４２）に、ＵＰ呼びとＤＯＷＮ呼びとの両方が検知されたと判定する。
＜Ｓ２４６＞
Ｓ２４５においてＵＰ呼びとＤＯＷＮ呼びとの両方が検知されたと判定した場合、エレベータ呼び部１０２はエレベータ呼びのキャンセルを行う。
エレベータ呼びのキャンセルは、ＵＰ呼びとＤＯＷＮ呼びとの両方の呼びをキャンセルしてもよいし、ＵＰ呼びとＤＯＷＮ呼びとのうち先に検知された方の呼びをキャンセルして、後に検知された方の呼びを発生させてもよい。
例えば、ＵＰ呼びを発生させた後にＤＯＷＮ呼びが検知されたと判定した場合、エレベータ呼び部１０２は、ＵＰ呼びをキャンセルしてＤＯＷＮ呼びを発生させない、または、ＵＰ呼びをキャンセルしてＤＯＷＮ呼びを発生させる。
【００４３】
上記のように、実施の形態２におけるエレベータ乗場操作盤１００は、カード操作後、上と下のセンサ（ＵＰ用センサ１２０、ＤＯＷＮ用センサ１３０）の両方が反応したときにエレベータの呼びをキャンセルする。
これにより、利用者は両方のセンサを反応させるという簡単な操作でエレベータの呼びを解除（キャンセル）することができる。
【００４４】
実施の形態３．
実施の形態３では、認証処理中に指定されたエレベータの呼びをカード情報が認証された後に実行するエレベータ乗場操作盤１００について説明する。
また、実施の形態３では、認証処理中に指定されたエレベータの呼びをキャンセルすることができるエレベータ乗場操作盤１００について説明する。
以下、実施の形態２と異なる事項について主に説明し、説明しない事項については実施の形態２と同様であるものとする。
【００４５】
図７は、実施の形態３におけるエレベータ乗場操作盤１００のエレベータ呼び制御処理を示すフローチャートである。
実施の形態３におけるエレベータ乗場操作盤１００のエレベータ呼び制御処理の流れについて、図７に基づいて以下に説明する。
Ｓ３１０、Ｓ３３０、Ｓ３５０〜Ｓ３７２はそれぞれ、実施の形態２のＳ２１０、Ｓ２２０、Ｓ２３０〜Ｓ２５２と同じである。
【００４６】
＜Ｓ３１０＞
まず、カード読み取り部１０１は、実施の形態２のＳ２１０と同様に、カード情報を読み取ったか否かを判定し、読み取られたカード情報を認証装置３００に送信し、認証装置３００から認証結果が送信されるのを待つ。
【００４７】
＜Ｓ３２０：エレベータ呼び認証前判定処理＞
次に、エレベータ呼び部１０２は、カード読み取り部１０１から認証結果を入力するまでの間、エレベータ呼び判定処理（Ｓ３６０、実施の形態２のＳ２４０）と同様に、ＵＰ用センサ１２０およびＤＯＷＮ用センサ１３０の呼びの検知を待ち、検知した呼びを記憶または消去する（Ｓ３２１〜Ｓ３２６）。
【００４８】
＜Ｓ３２１＞
まず、エレベータ呼び部１０２はＵＰ呼びのみが検知されたか否かを判定する。
ＵＰ用センサ１２０からＵＰ呼び情報を入力した際、エレベータ呼び部１０２は、既にＤＯＷＮ呼びを記憶している場合（Ｓ３２４）にはＵＰ呼びのみが検知されていないと判定し、ＤＯＷＮ呼びを記憶していない場合にはＵＰ呼びのみが検知されたと判定する。
＜Ｓ３２２＞
Ｓ３２１においてＵＰ呼びのみが検知されたと判定した場合、エレベータ呼び部１０２はＵＰ呼びをメモリに記憶する。
【００４９】
＜Ｓ３２３＞
次に、エレベータ呼び部１０２はＤＯＷＮ呼びのみが検知されたか否かを判定する。
ＤＯＷＮ用センサ１３０からＤＯＷＮ呼び情報を入力した際、エレベータ呼び部１０２は、既にＵＰ呼びを記憶している場合（Ｓ３２２）にはＤＯＷＮ呼びのみが検知されていないと判定し、ＵＰ呼びを記憶していない場合にはＤＯＷＮ呼びのみが検知されたと判定する。
＜Ｓ３２４＞
Ｓ３２３においてＤＯＷＮ呼びのみが検知されたと判定した場合、エレベータ呼び部１０２はＤＯＷＮ呼びをメモリに記憶する。
【００５０】
＜Ｓ３２５＞
次に、エレベータ呼び部１０２はＵＰ呼びとＤＯＷＮ呼びとの両方が検知されたか否かを判定する。
エレベータ呼び部１０２は、ＵＰ用センサ１２０からＵＰ呼び情報を入力した際に既にＤＯＷＮ呼びを記憶している場合（Ｓ３２４）、または、ＤＯＷＮ用センサ１３０からＤＯＷＮ呼び情報を入力した際に既にＵＰ呼びを記憶している場合（Ｓ３２２）に、ＵＰ呼びとＤＯＷＮ呼びとの両方が検知されたと判定する。
＜Ｓ３２６＞
Ｓ３２５においてＵＰ呼びとＤＯＷＮ呼びとの両方が検知されたと判定した場合、エレベータ呼び部１０２はエレベータ呼びをメモリから消去してキャンセルする。
エレベータ呼びのキャンセルは、実施の形態２のＳ２４６と同様に、ＵＰ呼びとＤＯＷＮ呼びとの両方の呼びをキャンセルしてもよいし、ＵＰ呼びとＤＯＷＮ呼びとのうち先に検知された方の呼びをキャンセルして、後に検知された方の呼びを記憶してもよい。
【００５１】
＜Ｓ３３０＞
次に、エレベータ呼び部１０２は、実施の形態２のＳ２２０と同様に、認証結果が「ＯＫ」を示すか「ＮＧ」を示すかを判定する。
エレベータ呼び部１０２が認証結果が「ＮＧ」を示すと判定した場合、エレベータ乗場操作盤１００は、Ｓ３１０に処理を戻し、カードリーダ１１０による次のカード検知を待つ。
【００５２】
＜Ｓ３４０：認証前エレベータ呼び実行処理＞
Ｓ３３０において認証結果が「ＯＫ」を示すと判定した場合、エレベータ呼び部１０２はＳ３２０で記憶した呼びを発生させる（Ｓ３４１〜Ｓ３４３）。
【００５３】
＜Ｓ３４１＞
エレベータ呼び部１０２は、Ｓ３２０においてエレベータの呼びを記憶しているか否かを判定する。
＜Ｓ３４２＞
Ｓ３４１においてＵＰ呼びを記憶していると判定した場合、エレベータ呼び部１０２はＵＰ呼びを発生させる。
＜Ｓ３４３＞
Ｓ３４２においてＤＯＷＮ呼びを記憶していると判定した場合、エレベータ呼び部１０２はＤＯＷＮ呼びを発生させる。
【００５４】
＜Ｓ３５０〜Ｓ３７２＞
以降、エレベータ呼び部１０２は、実施の形態２のＳ２３０〜Ｓ２５２と同様に、タイマに「０」を設定し（Ｓ３５０）、ＵＰ用センサ１２０およびＤＯＷＮ用センサ１３０の呼びの検知を待ち、検知した呼びを発生またはキャンセルさせ（Ｓ３６０）、タイマをインクリメントし（Ｓ３７１）、タイマが所定値未満である場合にＳ３６０に処理を戻し、タイマが所定値以上である場合にＳ３１０に処理を戻す。
【００５５】
実施の形態１や実施の形態２では、カードの判定結果がＯＫとなってから物体センサ（ＵＰ用センサ１２０、ＤＯＷＮ用センサ１３０）の検出をチェックしているが、カード２００の登録枚数が多かったり、カードの内部が暗号化されていたりすると、カード情報を読み取ってからカード２００の判定結果がでるまでに時間がかかることがある。
このようなとき、利用者がカード２００のカードリーダ１１０にかざした後すぐに（ＯＫ表示ＬＥＤ１１１が点灯する前に）手を物体センサの方に動かすと、物体センサの検出をチェックできない場合がある。
そこで、実施の形態３では、カード判定結果が出てから物体センサをチェックするだけでなく、カード情報を読み取ってカード判定結果が出るまでの間も物体センサの検出をチェックしている。
したがって、実施の形態３のエレベータ乗場操作盤１００は、カード認証に時間がかかる場合でも、利用者のエレベータ呼び指定を正しく受け付けることができる。
【００５６】
実施の形態４．
実施の形態４では、ＵＰ呼びを検知するカードリーダとＤＯＷＮ呼びを検知するカードリーダとの２つのカードリーダを備えるエレベータ乗場操作盤６００について説明する。
以下、実施の形態１と異なる事項について主に説明し、説明しない事項については実施の形態１と同様であるものとする。
【００５７】
図８は、実施の形態４におけるエレベータ乗場操作盤６００の外観図である。
実施の形態４におけるエレベータ乗場操作盤６００の構成について、図８に基づいて以下に説明する。
【００５８】
エレベータ乗場操作盤６００は上下に配置されたＵＰ用カードリーダ６２０とＤＯＷＮ用カードリーダ６３０とを備える。
ＵＰ用カードリーダ６２０（ＵＰ用センサ）は、ＤＯＷＮ用カードリーダ６３０の上方に配置され、実施の形態１のカードリーダ１１０と同様に、非接触でカード２００を検知し、検知したカード２００からカード情報を読み取る。また、ＵＰ用カードリーダ６２０はカード２００の検知をエレベータのＵＰ呼びの指定として検知する。つまり、ＵＰ用カードリーダ６２０はカードリーダ１１０として稼働する共に、ＵＰ用センサ１２０として稼働する。
ＤＯＷＮ用カードリーダ６３０（ＤＯＷＮ用センサ）は、ＵＰ用カードリーダ６２０の下方に配置され、実施の形態１のカードリーダ１１０と同様に、非接触でカード２００を検知し、検知したカード２００からカード情報を読み取る。また、ＤＯＷＮ用カードリーダ６３０はカード２００の検知をエレベータのＤＯＷＮ呼びの指定として検知する。つまり、ＤＯＷＮ用カードリーダ６３０はカードリーダ１１０として稼働すると共に、ＤＯＷＮ用センサ１３０として稼働する。
また、エレベータ乗場操作盤６００は、実施の形態１と同様に、カード読み取り部１０１（図示省略）およびエレベータ呼び部１０２（図示省略）を備える。
【００５９】
図９は、実施の形態４におけるエレベータ乗場操作盤６００のエレベータ制御処理を示すフローチャートである。
実施の形態４におけるエレベータ乗場操作盤６００のエレベータ制御処理の流れについて、図９に基づいて以下に説明する。
【００６０】
＜Ｓ４１０＞
まず、カード読み取り部１０１は、実施の形態１のＳ１１０と同様に、ＵＰ用カードリーダ６２０またはＤＯＷＮ用カードリーダ６３０がカード情報を読み取ったか否かを判定し、読み取られたカード情報を認証装置３００に送信し、認証装置３００から認証結果が送信されるのを待つ。
【００６１】
＜Ｓ４２０＞
次に、エレベータ呼び部１０２は、実施の形態１のＳ１２０と同様に、認証結果が「ＯＫ」を示すか「ＮＧ」を示すかを判定する。
エレベータ呼び部１０２が認証結果が「ＮＧ」を示すと判定した場合、エレベータ乗場操作盤６００は、Ｓ４１０に処理を戻し、ＵＰ用カードリーダ６２０またはＤＯＷＮ用カードリーダ６３０による次のカード検知を待つ。
【００６２】
＜Ｓ４３０＞
Ｓ４２０において認証結果が「ＯＫ」を示すと判定した場合、エレベータ呼び部１０２はＳ４１０で検知された呼びを発生させる（Ｓ４３１〜Ｓ４３３）。
【００６３】
＜Ｓ４３１＞
エレベータ呼び部１０２は、Ｓ４１０においてカード情報を読み取ったカードリーダを判定する。
＜Ｓ４３２＞
Ｓ４３１においてＵＰ用カードリーダ６２０がカード情報を読み取ったと判定した場合、エレベータ呼び部１０２はＵＰ呼びを発生させ、Ｓ４１０に処理を戻す。
＜Ｓ４３３＞
Ｓ４３１においてＤＯＷＮ用カードリーダ６３０がカード情報を読み取ったと判定した場合、エレベータ呼び部１０２はＤＯＷＮ呼びを発生させ、Ｓ４１０に処理を戻す。
【００６４】
実施の形態４により、利用者はカード２００を上下に移動させなくてもエレベータの呼びを指定することができる。
【００６５】
実施の形態５．
実施の形態４のエレベータ乗場操作盤６００が、実施の形態２のエレベータ乗場操作盤１００と同様に、エレベータの呼びをキャンセルしてもよい。
【００６６】
図１０は、実施の形態５におけるエレベータ乗場操作盤６００のエレベータ呼び制御処理を示すフローチャートである。
図１０において、Ｓ５１０〜Ｓ５３０はそれぞれ、実施の形態４のＳ４１０〜Ｓ４３０と同じであり、Ｓ５４０〜Ｓ５６２はそれぞれ、実施の形態２のＳ２３０〜Ｓ２５２と同じである。なお、ＵＰ用カードリーダ６２０およびＤＯＷＮ用カードリーダ６３０は、エレベータ呼び判定処理（Ｓ５５０）時、つまり、認証後の所定の時間内に、カード２００の検知（エレベータ呼びの検知）のみ行い、カード情報を再び読み取って認証装置３００により再び認証を受ける必要はない。
【００６７】
実施の形態５により、実施の形態２と同様に、利用者は簡単な操作でエレベータの呼びをキャンセルすることができる。
【００６８】
実施の形態６．
さらに、実施の形態４のエレベータ乗場操作盤６００が、実施の形態３のエレベータ乗場操作盤１００と同様に、認証処理中に指定されたエレベータの呼びをカード情報が認証された後に実行してもよい。
【００６９】
実施の形態６におけるエレベータ乗場操作盤６００のエレベータ呼び制御処理は、図７に基づいて説明した実施の形態３におけるエレベータ乗場操作盤１００のエレベータ呼び制御処理と同様である。
実施の形態６において、Ｓ３１０でカード情報を読み取るリーダ、Ｓ３２０でエレベータの呼びを検知するセンサおよびＳ３６０でエレベータの呼びを検知するセンサはＵＰ用カードリーダ６２０およびＤＯＷＮ用カードリーダ６３０である。
また、ＵＰ用カードリーダ６２０およびＤＯＷＮ用カードリーダ６３０は、エレベータ呼び認証前判定処理（Ｓ３２０）およびエレベータ呼び判定処理（Ｓ３６０）時に、カード２００の検知（エレベータ呼びの検知）のみ行い、カード情報を再び読み取って認証装置３００により再び認証を受ける必要はない。
【００７０】
実施の形態６により、実施の形態３と同様に、カード認証に時間がかかる場合でも、利用者のエレベータ呼び指定を正しく受け付けることができる。
【図面の簡単な説明】
【００７１】
【図１】実施の形態１におけるエレベータ乗場操作盤１００の外観図。
【図２】実施の形態１におけるエレベータ乗場操作盤１００の操作方法を示す図。
【図３】実施の形態１におけるエレベータ乗場操作盤１００のカード検知範囲と物体検知範囲との関係を示す図。
【図４】実施の形態１におけるエレベータ制御システム９００の構成図。
【図５】実施の形態１におけるエレベータ乗場操作盤１００のエレベータ呼び制御処理を示すフローチャート。
【図６】実施の形態２におけるエレベータ乗場操作盤１００のエレベータ呼び制御処理を示すフローチャート。
【図７】実施の形態３におけるエレベータ乗場操作盤１００のエレベータ呼び制御処理を示すフローチャート。
【図８】実施の形態４におけるエレベータ乗場操作盤６００の外観図。
【図９】実施の形態４におけるエレベータ乗場操作盤６００のエレベータ制御処理を示すフローチャート。
【図１０】実施の形態５におけるエレベータ乗場操作盤６００のエレベータ呼び制御処理を示すフローチャート。
【符号の説明】
【００７２】
１００  エレベータ乗場操作盤、１０１  カード読み取り部、１０２  エレベータ呼び部、１１０  カードリーダ、１１１  ＯＫ表示ＬＥＤ、１１２  ＮＧ表示ＬＥＤ、１１３  カード検知範囲、１２０  ＵＰ用センサ、１２１  ＵＰボタン、１２３  物体検知範囲、１３０  ＤＯＷＮ用センサ、１３１  ＤＯＷＮボタン、１３３  物体検知範囲、２００  カード、３００  認証装置、３０１  認証処理部、４００  エレベータ制御装置、４０１  エレベータ制御部、５００  エレベータかご、６００  エレベータ乗場操作盤、６２０  ＵＰ用カードリーダ、６３０  ＤＯＷＮ用カードリーダ、９００  エレベータ制御システム。
【図１】
2009113971.tif 000003
【図２】
2009113971.tif 000004
【図３】
2009113971.tif 000005
【図４】
2009113971.tif 000006
【図５】
2009113971.tif 000007
【図６】
2009113971.tif 000008
【図７】
2009113971.tif 000009
【図８】
2009113971.tif 000010
【図９】
2009113971.tif 000011
【図１０】
2009113971.tif 000012